(57)【要約】【課題】水分によるマグネットの劣化を抑え得る壁面取付部材の提供を目的とする。【解決手段】取付対象部材としての物品掛け部材と、壁面に物品掛け部材を取り付けるための取付部３とを備える。取付部３は、ネオジウムマグネット４と、マグネット保持部材６と、防水用シート部材７とを備える。マグネット保持部材６は、ネオジウムマグネット４を収納する収納部６１０と、収納部６１０の周囲を取り囲む周壁６１１とを有し、ネオジウムマグネット４の先端面と周壁６１１の先端面とが略面一になるように収納部６１０に収納された状態でネオジウムマグネット４を保持する。防水用シート部材７は、ネオジウムマグネット４の先端面を覆った状態で収納部６１０の全周にわたり周壁６１１の先端面に貼着されることにより、ネオジウムマグネット４を防水する。【選択図】図２
2018114008.tif 000002
【特許請求の範囲】
【請求項１】
壁面に取り付けられる取付対象部材と、前記壁面に前記取付対象部材を取り付けるための取付部とを備えた壁面取付部材であって、
前記取付部は、ネオジウムマグネットと、前記ネオジウムマグネットを保持するマグネット保持部材と、前記ネオジウムマグネットを防水するためのシート状の防水用シート部材とを備え、
前記マグネット保持部材は、前記ネオジウムマグネットを収納する収納部と、前記収納部の周囲を取り囲む周壁とを有し、前記ネオジウムマグネットの先端面と前記周壁の先端面とが略面一になるように前記収納部に収納された状態で前記ネオジウムマグネットを保持し、
前記防水用シート部材は、前記ネオジウムマグネットの先端面を覆った状態で前記収納部の全周にわたり前記周壁の先端面に貼着されている、壁面取付部材。
【請求項２】
前記防水用シート部材の厚さは、０．４ｍｍ以下である、請求項１記載の壁面取付部材。
【請求項３】
前記防水用シート部材の厚さは、０．３ｍｍ以下である、請求項１又は２記載の壁面取付部材。
【請求項４】
前記防水用シート部材は、防水層と、前記防水層の前記マグネット保持部材と反対側の面に設けられ前記壁面に対して滑り難くする機能を有する防滑層とを備えている、請求項１〜３のいずれか一項に記載の壁面取付部材。
【請求項５】
前記取付部は、前記収納部内に配設され前記ネオジウムマグネットの吸着力を増幅するためのヨークを、更に備え、
前記ヨークは、前記収納部内で前記ネオジウムマグネットの外周を取り囲むように配置される筒状部を備え、
前記筒状部は、前記防水用シート部材側を向く先端面を備え、
前記マグネット保持部材は、前記筒状部ヨークの先端面と前記周壁の先端面とが略面一になるように前記収納部に収納された状態で前記ヨークを保持し、
前記防水用シート部材は、前記ヨークの先端面を覆った状態で前記収納部の全周にわたり周壁の先端面に貼着されている、請求項１〜４のいずれか一項に記載の壁面取付部材。
【請求項６】
前記ヨークは、前記防水用シート部材とは反対側で前記筒状部の開口を閉じるヨーク底部と、前記ヨーク底部を貫通する孔とを有し、
前記マグネット保持部材は、前記防水用シート部材とは反対側で前記収納部を閉じる収納部底部と、前記収納部底部から突出して前記孔を通じて前記防水用シート部材側に延びて前記ヨークを前記防水用シート部材側に抜け止めする抜け止め部とを有し、
前記ヨーク底部は、前記収納部底部に接着されている、請求項５に記載の壁面取付部材。
【請求項７】
前記ネオジウムマグネットは、前記ヨーク底部に接着されている、請求項６に記載の壁面取付部材。
【請求項８】
前記マグネット保持部材は、前記防水用シート部材の裏面側に収まっている、請求項１〜７のいずれか一項に記載の壁面取付部材。
【発明の詳細な説明】
【技術分野】
【０００１】
本発明は、壁面に取り付けられる取付対象部材と、取付対象部材を壁面に取り付けるための取付部とを有する壁面取付部材に関するものである。
【背景技術】
【０００２】
取付対象部材を壁面に取り付け得るようにした壁面取付部材は、従来から知られており、例えば特許文献１に開示されている。この特許文献１に開示された壁面取付部材は、取付対象部材である容器本体と、容器本体の後壁に形成されたマグネットホルダーと、このマグネットホルダーに嵌入固定されたマグネットとを有している。そして、マグネットホルダーに嵌入固定されたマグネットを、例えばスチール等のマグネットを吸着可能な金属が埋設された壁の壁面に対して当該マグネットの磁力によって吸着させる。これにより、取付対象部材は、壁面に取り付けられる。
【先行技術文献】
【特許文献】
【０００３】
【特許文献１】実開平０７−５４２１号公報
【発明の概要】
【発明が解決しようとする課題】
【０００４】
しかしながら、特許文献１では、マグネットホルダーに嵌入固定されたマグネットが壁面側に露出されているため、マグネットに水分が付着しやすい。特に、例えば浴室や洗面所の壁面には水分が付着する場合が多く、このような壁面に壁面取付部材を取り付ける場合には、水分が壁面を伝ってマグネットに付着おそれがある。その結果、付着した水分によってマグネットの磁力による吸着力が低下する等、マグネットが早期に劣化する。
【０００５】
本発明は、水分によるマグネットの劣化を抑え得る壁面取付部材の提供を目的とする。
【課題を解決するための手段】
【０００６】
上記課題を解決するために、本発明は、壁面に取り付けられる取付対象部材と、前記壁面に前記取付対象部材を取り付けるための取付部とを備えた壁面取付部材であって、前記取付部は、ネオジウムマグネットと、前記ネオジウムマグネットを保持するマグネット保持部材と、前記ネオジウムマグネットを防水するためのシート状の防水用シート部材とを備え、前記マグネット保持部材は、前記ネオジウムマグネットを収納する収納部と、前記収納部の周囲を取り囲む周壁とを有し、前記ネオジウムマグネットの先端面と前記周壁の先端面とが略面一になるように前記収納部に収納された状態で前記ネオジウムマグネットを保持し、前記防水用シート部材は、前記ネオジウムマグネットの先端面を覆った状態で前記収納部の全周にわたり前記周壁の先端面に貼着されている、壁面取付部材を提供する。
【０００７】
本発明によれば、マグネット保持部材は、ネオジウムマグネットの表面と収納部の周壁の先端面とが略面一になるようにネオジウムマグネットを保持し、防水用シート部材は、ネオジウムマグネットの先端面を覆った状態で収納部の全周にわたり周壁の先端面に貼着されている。
【０００８】
これにより、磁力の強いネオジウムマグネットを壁面に対して極めて近接した位置（壁面から防水用シート部材の厚み寸法を隔てた位置）に配置してネオジウムマグネットの磁力を有効に活用しながら、当該ネオジウムマグネットに壁面を伝う水滴等が接触するのを防止することができる。具体的に、防水用シート部材により収納部内に収納されたネオジウムマグネットが壁面側から覆われた状態で当該防水用シート部材が収納部の全周にわたって周壁の先端面に貼着されているため、壁面を伝う水滴等が収納部の周囲から収納部内に導かれるのを抑制することができる。
【０００９】
したがって、ネオジウムマグネットの磁力を有効に活用しながら、外部からの水分のネオジウムマグネットに対する接触を確実に防止することでき、マグネットの劣化を抑えることができる。
【００１０】
前記壁面取付部材において、前記防水用シート部材の厚さは、０．４ｍｍ以下にすることができる。
【００１１】
防水用シート部材は使用に際して壁面とネオジウムマグネットとの間に配置されるため、理論上、防水用シート部材の厚さが０の場合（防水用シート部材を設けない場合）に壁面に対するネオジウムマグネットの吸着力が最も強くなる。一方、防水用シート部材の厚さが厚くなるほど壁面に対するネオジウムマグネットの吸着力が減衰する。前記のように、防水用シート部材の厚さが０．４ｍｍ以下であると、厚さが０の場合に対する吸着力の減衰率を４０％以内に抑えることができる。これにより、ネオジウムマグネットの磁力によって取付部を確実に壁面に取り付けでき、取付部に外部負荷がかかった場合でも取付部の固定状態を維持することができる。
【００１２】
前記壁面取付部材において、前記防水用シート部材の厚さは、０．３ｍｍ以下にすることができる。
【００１３】
防水用シート部材の厚さが０．３ｍｍ以下であると、ネオジウムマグネットの吸着力の前記減衰率を３５％以内に抑えることができる。したがって、より確実に、取付部をネオジウムマグネットの磁力によって壁面に取り付けることができ、取付部の固定状態をより一層維持することができる。
【００１４】
前記壁面取付部材において、前記防水用シート部材は、防水層と、前記防水層の前記マグネット保持部材と反対側の面に設けられ前記壁面に対して滑り難くする機能を有する防滑層とを備えていることが好ましい。
【００１５】
これによれば、防滑層によって防水用シート部材が壁面に対して滑り難くなる。したがって、例えば取付部に外部負荷がかかった場合でも取付部が壁面を滑り動き難いものになり、固定状態をより確実に維持することができる。
【００１６】
前記壁面取付部材において、前記取付部は、前記収納部内に配設され前記ネオジウムマグネットの吸着力を増幅するためのヨークを、更に備え、前記ヨークは、前記収納部内で前記ネオジウムマグネットの外周を取り囲むように配置される筒状部を備え、前記筒状部は、前記防水用シート部材側を向く先端面を備え、前記マグネット保持部材は、前記筒状部ヨークの先端面と前記周壁の先端面とが略面一になるように前記収納部に収納された状態で前記ヨークを保持し、前記防水用シート部材は、前記ヨークの先端面を覆った状態で前記収納部の全周にわたり周壁の先端面に貼着されていることが好ましい。
【００１７】
これによれば、マグネット保持部材は、ヨーク（継鉄）の先端面と周壁の先端面とが略面一になるようにヨークを収納部に収納された状態でヨークを保持している。そのため、壁面に対する吸着面として機能するヨークの先端面を壁面に対して極めて近接した位置（壁面から防水用シート部材の厚み寸法を隔てた位置）に配置してネオジウムマグネットの磁力を有効に活用しながら、壁面を伝う水滴等がヨークに接触するのを防止することができる。具体的に、防水用シート部材により収納部内に収納されたヨークが壁面側から覆われた状態で当該防水用シート部材が収納部の全周にわたって周壁の先端面に貼着されているため、壁面を伝う水滴等が収納部の周囲から収納部内に導かれるのを抑制することができる。
【００１８】
したがって、ネオジウムマグネットの磁力を有効に活用しながら、外部からの水分のヨークおよびネオジウムマグネットに対する接触を確実に防止することができ、ヨークおよびネオジウムマグネットの劣化を抑えることができる。
【００１９】
前記壁面取付部材において、前記ヨークは、前記防水用シート部材とは反対側で前記筒状部の開口を閉じるヨーク底部と、前記ヨーク底部を貫通する孔とを有し、前記マグネット保持部材は、前記防水用シート部材とは反対側で前記収納部を閉じる収納部底部と、前記収納部底部から突出して前記孔を通じて前記防水用シート部材側に延びて前記ヨークを前記防水用シート部材側に抜け止めする抜け止め部とを有し、前記ヨーク底部は、前記収納部底部に接着されていることが好ましい。
【００２０】
これによれば、ヨークは、抜け止め部によって防水用シート部材側に抜け止めされ、しかも、ヨーク底部が収納部底部に接着されている。これにより、ヨークを確実にマグネット保持部材に固定することができるため、ヨークに収納部から引き出されるような外力がかかった場合（例えば、取付部を壁面から取り外す場合）でも、ヨークの収納部内における保持を維持することができる。
【００２１】
前記壁面取付部材において、前記ネオジウムマグネットは、前記ヨーク底部に接着されていることが好ましい。
【００２２】
これによれば、ネオジウムマグネットはヨークを介してマグネット保持部材に確実に保持される。そのため、ネオジウムマグネットに収納部から引き出されるような外力がかかった場合（例えば、取付部を壁面から取り外す場合）でも、ネオジウムマグネットの収納部内における保持を維持することができる。
【００２３】
前記壁面取付部材において、前記マグネット保持部材は、前記防水用シート部材の裏面側に収まっていることが好ましい。
【００２４】
これによれば、壁面に取り付ける際にマグネット保持部材が壁面に当接するようなことを防止でき、ネオジウムマグネットの先端面の全体を、防水用シート部材を介して確実に壁面に当接させることができる。これにより、ネオジウムマグネットの吸着力によって確実に壁面に取付部を取り付けることができる。
【発明の効果】
【００２５】
本発明によれば、水分によるマグネットの劣化を抑えることができる。
【図面の簡単な説明】
【００２６】
【図１】本発明の第１実施形態の壁面取付部材の斜視図である。
【図２】図１の壁面取付部材における取付部の分解斜視図である。
【図３】図１の壁面取付部材における取付部の断面図である。
【図４】図１の壁面取付部材における取付部の防水シート部材の一部の拡大断面図である。
【図５】防水シート部材の厚さと２種類のネオジウムマグネットそれぞれの吸着力との関係を表した図表である。
【図６】防水シート部材の厚さと２種類のネオジウムマグネットそれぞれの吸着力との関係を表したグラフである。
【図７】第１実施形態の壁面取付部材の変形例の斜視図である。
【図８】第２実施形態の壁面取付部材の斜視図である。
【図９】図８の第２実施形態の壁面取付部材の分解斜視図である。
【図１０】図８の第２実施形態の壁面取付部材の断面図である。
【発明を実施するための形態】
【００２７】
以下、本発明を実施するための形態について、図面を参照しながら詳細に説明する。図１は、本発明の第１実施形態の壁面取付部材の斜視図である。また、図２は、図１の壁面取付部材における取付部の分解斜視図、図３は、図１の壁面取付部材における取付部の断面図である。
【００２８】
本発明の壁面取付部材１は、図１に示すように、壁面Ｈ（図３に図示）に取り付けられる物品掛け部材（取付対象部材）２と、物品掛け部材２を壁面Ｈに取り付けるための２つの取付部３とを備えている。
【００２９】
２つの取付部３は、互いに同構成を採っており、以下に、一方の取付部３についてのみ説明し、他方の取付部３の説明を省略する。
【００３０】
この実施形態の取付部３は、図２、図３に示すように、ネオジウムマグネット４と、ネオジウムマグネット４の吸着力を増幅する機能を有するヨーク（継鉄）５と、ネオジウムマグネット４及びヨーク５を保持するマグネット保持部材６と、マグネット保持部材６に保持されたネオジウムマグネット４を防水するためのシート状の防水用シート部材７とを備えている。
【００３１】
ネオジウムマグネット４は、スチール等のマグネット吸着可能金属製の壁やマグネット吸着可能金属が埋設された壁である壁面Ｈに磁力によって吸着させることで取付部３を壁面Ｈに取り付けるためのものである。
【００３２】
この実施形態のネオジウムマグネット４は、中心部に厚さ方向の両端面それぞれを貫通する貫通孔４０が形成されたリング状を呈するものからなる。また、この実施形態では、ネオジウムマグネット４における厚さ方向（軸方向）の先端面（防水用シート部材７側の面）４１および基端面（防水用シート部材７と反対側の面）４２は、平面に形成されている。以下、防水用シート部材７側を先端側とし、防水用シート部材７と反対側を基端側として説明する。
【００３３】
ヨーク５は、円筒状の筒状部５１と、防水用シート部材７とは反対側で筒状部５１の開口を閉じる円板状のヨーク底部５２と、ヨーク底部５２の中心部を貫通する孔５３とを備えている。この孔５３の直径は、ネオジウムマグネット４の貫通孔４０の直径よりも小さい。
【００３４】
筒状部５１は、内周側にネオジウムマグネット４が入る大きさに形成されている。また、筒状部５１におけるヨーク底部５２とは反対側の先端面５２ａは、平面状に形成され、防水用シート部材７側を向いている。
【００３５】
マグネット保持部材６は、保持部材本体６１と、保持部材本体６１の基端部に形成され、物品掛け部材２を支持する掛け部材支持部６２とを備えている。
【００３６】
保持部材本体６１は、ネオジウムマグネット４およびヨーク５を収納する収納部６１０と、収納部６１０の周囲を取り囲む周壁６１１と、周壁６１１の防水用シート部材７と反対側から径方向の内側に突出する突出部６１０ａと、収納部６１０内に収納されたヨーク５を抜け止めする抜け止め部６１４とを備えている。
【００３７】
本実施形態において、掛け部材支持部６２は、保持部材本体６１の突出部６１０ａから基端側に延びる有底の筒状の形状を有する。これら突出部６１０ａ及び掛け部材支持部６２によって、収納部６１０は、防水用シート部材７とは反対側で閉じられている。つまり、突出部６１０ａ及び掛け部材支持部６２は、防水用シート部材７とは反対側で収納部６１０を閉じる収納部底部を構成する。
【００３８】
収納部６１０は、掛け部材支持部６２の先端面６２ａ及び突出部６１０ａの先端面（符号省略）から周壁６１１の先端面６１１ａとの間で定義される所定の深さ寸法を有する。
【００３９】
この収納部６１０は、図３に示すように、ネオジウムマグネット４を収納するマグネット収納部６１２と、ヨーク５を収納するヨーク収納部６１３とを備えている。
【００４０】
ヨーク収納部６１３は、収納部６１０における径方向の外側部および軸方向（図３の左右方向）の収納部６１０の基部側部（図３の右側部）に形成されている。マグネット収納部６１２は、その収納部６１０におけるヨーク収納部６１３の径方向の内側で、かつ、収納部６１０の軸方向の先部側（図３の左側）に形成されている。
【００４１】
抜け止め部６１４は、収納部６１０を閉じる掛け部材支持部６２の先端面６２ａから防水用シート部材７側（先端側）に延びている。また、抜け止め部６１４は、後述のカシメ加工前の図２に示す状態でヨーク５の孔５３に挿通できるように設定された太さを有している。
【００４２】
ヨーク５は、収納部６１０（ヨーク収納部６１３）内に次のように収納されている。ヨーク５のヨーク底部５２の外面と収納部底部（突出部６１０ａ）との間に接着手段としての両面接着テープ６１５が配設されている。この状態で、ヨーク５の孔５３に抜け止め部６１４が挿通され、孔５３から出た抜け止め部６１４の先端がカシメ加工される。これにより、ヨーク５は、ヨーク底部５２が収納部底部（突出部６１０ａ）に接着手段によって接着されているとともに、ヨーク５が抜け止め部６１４によって防水用シート部材７側へ抜け止めされる。この状態において、ヨーク５の筒状部５１は、収納部６１０（ヨーク収納部６１３）内でネオジウムマグネット４の外周を取り囲むように配置されている。
【００４３】
また、ネオジウムマグネット４は、収納部６１０（マグネット収納部６１２）内に次のように収納されている。ネオジウムマグネット４の基端面４２とその基端面４２に対向するヨーク５のヨーク底部５２の先端面との一方または両方に接着剤４４が塗布された状態で、ネオジウムマグネット４がマグネット収納部６１２（ヨーク５の筒状部５１の内側）に収納されている。これにより、ネオジウムマグネット４は、基端面４２がヨーク５のヨーク底部５２に接着された状態で収納されている。
【００４４】
また、ヨーク５およびネオジウムマグネット４が収納部６１０内に収納された状態で、ネオジウムマグネット４の先端面４１とヨーク５の先端面５２ａと周壁６１１の先端面６１１ａとが略面一になっている。
【００４５】
なお、ヨーク収納部６１３に収納される前のヨーク５にネオジウムマグネット４が接着され、そのネオジウムマグネット４が接着されたヨーク５が収納部６１０に収納されてもよい。組立方法は、適宜変更できる。
【００４６】
次に、防水用シート部材７について説明する。防水用シート部材７は、この実施形態では、図２、図３に示すように、保持部材本体６１の外周径と略同じ大きさ（少し小径）の円形状のものである。防水用シート部材７は、図４に示すように、第１粘着剤層７１と、第１粘着剤層７１の一方面に積層された防水層７２と、防水層７２の一方面に積層された第２粘着剤層７３と、第２粘着剤層７３の一方面に積層された防滑層７４とを有する。これらの層７１〜７４は、基端側から先端側へこの順で積層されている。
【００４７】
第１粘着剤層７１は、ネオジウムマグネット４の先端面４１とヨーク５の先端面５２ａと保持部材本体６１の先端面６１１ａとに接着される層であり、この実施形態では、アクリル系の粘着剤から構成されている。
【００４８】
防水層７２は、この実施形態では、ポリオレフィン系の発泡体から構成されている。
【００４９】
第２粘着剤層７３は、防滑層７４と防水層７２とを接着しており、この実施形態では、アクリル系の粘着剤層７３ａとウレタン系の粘着剤層７３ｂとの２層から構成されている。
【００５０】
防滑層７４は、壁面Ｈに対して滑り難くする機能を有する層である。この実施形態では、防滑層７４は、平坦な先端面（壁面Ｈ側の面）と、壁面Ｈの表面に沿って変形可能な柔軟性とを有している。したがって、例えば壁面Ｈが凹凸面である場合でも凹凸面に沿って防水用シート部材７の全体が壁面Ｈに当接することができる。この実施形態において、防水用シート部材７は、軟質のポリオレフィン系のフィルムにより構成されている。なお、平坦な先端面と、壁面Ｈの表面に沿って変形可能な柔軟性とを有する防滑層について説明したが、この構成に代えて又はこの構成に加えて壁面Ｈとの摺動抵抗を高めるための凹凸部が形成された先端面を有する防滑層７４を採用することもできる。
【００５１】
このように構成された防水用シート部材７は、図３に示すように、第１粘着剤層７１がネオジウムマグネット４の先端面４１およびヨーク５の先端面５２ａを覆った状態で、マグネット収納部６１２およびヨーク収納部６１３の全周にわたって周壁６１１の先端面６１１ａに貼付されている。したがって、防水用シート部材７は、第１粘着剤層７１によってネオジウムマグネット４の先端面４１、ヨーク５の先端面５２ａおよび周壁６１１の先端面６１１ａに接着されている。また、この状態で、マグネット保持部材６は、防水用シート部材７の基端側（裏面側）に収まっている。
【００５２】
ここで、防水用シート部材７の厚さに対するネオジウムマグネット４の吸着力の強さの試験をしたので、以下に説明する。
【００５３】
試験は、表面磁束密度が２３８ｍＴのネオジウムマグネット４及び表面磁束密度が２０３ｍＴのネオジウムマグネット４の２種類のものについて、それぞれのネオジウムマグネット４とスチール製の壁面Ｈとの間に防水用シート部材７を配置して、ネオジウムマグネット４を壁面に吸着させる。そして、ネオジウムマグネット４を壁面Ｈに対して垂直方向に引き剥がし、その引き剥がす際の荷重を吸着力として測定した。また、測定は、０．１ｍｍ〜２．０ｍｍまでの０．１ｍｍごとに厚さの異なる防水用シート部材７それぞれについて行った。その結果は、図５、図６に示す通りであった。
【００５４】
防水用シート部材７は、使用に際して壁面Ｈとネオジウムマグネット４との間に配置されるため、図５、図６に示すように、防水用シート部材７の厚さが０の場合（防水用シート部材７を設けない場合）に壁面Ｈに対するネオジウムマグネット４の吸着力が最も強くなる（表面磁束密度が２３８ｍＴのもので３５．０Ｎ、表面磁束密度が２０３ｍＴのもので２８．５Ｎ）。一方、防水用シート部材７の厚さが厚くなるほど壁面Ｈに対するネオジウムマグネット４の吸着力が減衰する。
【００５５】
そして、吸着力は、防水用シート部材の厚さが０．３ｍｍでは、表面磁束密度が２３８ｍＴのもので２４．２Ｎになり、表面磁束密度が２０３ｍＴのもので１９．４Ｎになる。したがって、表面磁束密度が２３８ｍＴのものでは、防水用シート部材７の厚さが０の場合に比べて吸着力が６９．１％、表面磁束密度が２０３ｍＴのものでは、６８．１％になり、減衰率が３５％以内に収まる。
【００５６】
また、吸着力は、防水用シート部材の厚さが０．４ｍｍでは、表面磁束密度が２３８ｍＴのもので２１．７Ｎになり、表面磁束密度が２０３ｍＴのもので１７．３Ｎになる。したがって、表面磁束密度が２３８ｍＴのものでは、防水用シート部材７の厚さが０の場合に比べて吸着力が６２．０％、表面磁束密度が２０３ｍＴのものでは、６０．７％になり、減衰率が４０％以内になる。
【００５７】
減衰率が４０％以内であれば、ネオジウムマグネット４の吸着力によって取付部３を確実に壁面Ｈに吸着させて取り付けでき、例えば取付部３に外部負荷がかかった場合でも取付部３が壁面Ｈを滑り動き難いものになり、固定状態を維持できる。したがって、防水用シート部材７の厚さが０．４ｍｍ以下のものを用いるのが好ましく、より好ましくは、防水用シート部材の厚さが０．３ｍｍ以下のものを採用することができる。ただし、防水用シート部材７の厚さが０．４ｍｍを超えるものでも使用可能であり、適宜変更して使用できる。
【００５８】
図１〜図３に戻って、マグネット保持部材６の掛け部材支持部６２について説明する。
【００５９】
掛け部材支持部６２は、保持部材本体６１の突出部６１０ａの基端面から基端側に延びている。保持部材本体６１の基端部には、物品掛け部材２が嵌入される円柱状の嵌入孔６２１が設けられている。
【００６０】
次に、物品掛け部材２について説明する。
【００６１】
物品掛け部材２は、この実施形態では、例えばタオルを直接かけ得る円柱状の長尺丸棒体から構成されている。そして、この物品掛け部材２の一方端部が、一方の取付部３の嵌入孔６２１に嵌入され、他方端部が、他方の取付部３の嵌入孔６２１に嵌入されている。これにより、物品掛け部材２は、２つの取付部３に架け渡された状態で２つの取付部３に支持されている。
【００６２】
以上のように構成された壁面取付部材１によれば、ネオジウムマグネット４の先端面４１と収納部６１０の周壁６１１の先端面６１１ａとが略面一になるようにマグネット保持部材６がネオジウムマグネット４を保持し、防水用シート部材７がネオジウムマグネット４の先端面を覆った状態で収納部６１０の全周にわたり周壁６１１の先端面６１１ａに貼着されている。
【００６３】
これにより、磁力の強いネオジウムマグネット４を壁面Ｈに対して極めて近接した位置（壁面Ｈから防水用シート部材７の厚み寸法を隔てた位置）に配置してネオジウムマグネット４の磁力を有効に活用しながら、当該ネオジウムマグネット４に壁面Ｈに伝う水滴等が接触するのを防止することができる。具体的に、防水用シート部材７により収納部６１０内に収納されたネオジウムマグネット４が壁面Ｈ側から覆われた状態で当該防水用シート部材７が収納部６１０の全周にわたって周壁６１１の先端面に貼着されているため、壁面Ｈを伝う水滴等が収納部６１０の周囲から収納部６１０内に導かれるのを抑制することができる。
【００６４】
したがって、ネオジウムマグネット４の磁力を有効に活用しながら、外部からの水分のネオジウムマグネット４に対する接触を確実に防止することができ、ネオジウムマグネット４の劣化を抑えることができる。
【００６５】
また、防水用シート部材７が防滑層７４を備えているため、防水用シート部材７が壁面Ｈに対して滑り難くなる。したがって、例えば取付部３に外部負荷がかかった場合でも取付部３が壁面Ｈを滑り動き難いものになり、固定状態をより確実に維持することができる。
【００６６】
また、取付部３のマグネット保持部材６は、ネオジウムマグネット４の吸着力を増幅する機能を有するヨーク５の先端面と周壁６１１の先端面６１１ａとが略面一になるようにヨーク５をヨーク収納部６１３に収納された状態で保持している。そのため、壁面Ｈに対する吸着面として機能するヨーク５の先端面５２ａを壁面Ｈに対して極めて近接した位置（壁面Ｈから防水用シート部材７の厚み寸法を隔てた位置）に配置してネオジウムマグネット４の磁力を有効に活用しながら、壁面Ｈを伝う水滴等がヨーク５に接触するのを防止することができる。具体的に、防水用シート部材７により収納部６１０内に収納されたヨーク５が壁面Ｈ側から覆われた状態で当該防水用シート部材７が収納部６１０の全周にわたって周壁６１１の先端面６１１ａに貼着されているため、壁面Ｈを伝う水滴等の収納部６１０の周囲から収納部６１０内に導かれるのを抑制することができる。
【００６７】
したがって、ネオジウムマグネット４の磁力を有効に活用しながら、外部からの水分のヨーク５およびネオジウムマグネット４に対する接触を確実に防止することができ、ヨーク５およびネオジウムマグネット４の劣化を抑えることができる。
【００６８】
また、収納部６１０に収納されたヨーク５は、抜け止め部６１４によって防水用シート部材７側に抜け止めされ、しかも、ヨーク５のヨーク底部５２が収納部底部（突出部６１０ａ）に接着されている。これにより、ヨーク５を確実にマグネット保持部材６に固定することができるため、ヨーク５に収納部６１０から引き出されるような外力がかかった場合（例えば壁面Ｈから取付部３を引き外す場合）でも、ヨーク５の収納部６１０内における保持を維持することができる。
【００６９】
また、ネオジウムマグネット４は、ヨーク５のヨーク底部５２に接着されているため、ネオジウムマグネット４がヨーク５を介してマグネット保持部材６に確実に保持される。そのため、ネオジウムマグネット４に収納部６１０から引き出されるような外力がかかった場合（例えば壁面Ｈから取付部３を取り外す場合）でも、ネオジウムマグネット４の収納部６１０内における保持を維持することができる。
【００７０】
また、マグネット保持部材６は、防水用シート部材７の裏面側（基端側）に収まっているため、壁面に取り付ける際にマグネット保持部材６が壁面Ｈに当接するようなことを防止でき、ネオジウムマグネット４の先端面４１の全体を、防水用シート部材７を介して確実に壁面Ｈに当接させることができる。
【００７１】
尚、上記第１実施形態では、取付対象部材としての物品掛け部材２は、１つの棒体から構成されたが、この形態のものに限らず、例えば図７に示すように、物品掛け部材２は、取付部３に支持された１つの棒状のフック支持部材２１１と、フック支持部材２１１に吊り下げ支持された複数のフック２１２とを備えたものを採用することもできる。この場合、フック２１２に物品を掛けることができる。このように取付対象部材の構成は、適宜変更できる。
【００７２】
次に、第２実施形態の壁面取付部材１００について、図８〜図１０に基いて説明する。第２実施形態の壁面取付部材１００は、取付対象部材としての１つの物品掛け部材１０２と、１つの取付部１０３とを備えている。
【００７３】
第２実施形態の物品掛け部材１０２は、当該物品掛け部材１０２の一端に設けられて上方側に折り返された引っ掛け部１２１と、物品掛け部材１０２の他端に設けられて取付部１０３に支持される吊り下げ支持溝１２２ａを有する被支持部１２２と、を備えている。被支持部１２２の吊り下げ支持溝１２２ａは、所定幅をもって被支持部１２２の全周にわたって形成されている。
【００７４】
第２実施形態の取付部１０３は、先の第１実施形態のものと同様に、ネオジウムマグネット１０４と、ヨーク１０５と、マグネット保持部材１０６と、防水用シート部材１０７とを備えている。ネオジウムマグネット１０４とヨーク１０５と防水用シート部材１０７とは、先の第１実施形態のものと同構成を採用している。また、ネオジウムマグネット１０４およびヨーク１０５は、接着剤１４４によって接着されている。さらに、ヨーク１０５は、マグネット保持部材１０６に両面接着テープ６１５ａによって接着されている。
【００７５】
第２実施形態のマグネット保持部材１０６は、保持部材本体１６１と、カバー１６２とを備えている。
【００７６】
この第２実施形態における保持部材本体１６１は、ネオジウムマグネット１０４およびヨーク１０５を収納する収納部１６１０と、収納部１６１０の周囲を取り囲む周壁１６１１と、防水用シート部材７とは反対側で収納部１６１０を閉じる収納部底部１６１９と、収納部底部１６１９から先端側に延びる抜け止め部１６１４とを備えている。更に、保持部材本体１６１は、ボルト受容部１６１５と、カバー１６２に係止される２つの被係止部１６１６と、物品掛け部材１０２を吊り下げ支持する第１掛け部材支持部１６１７（図１０に図示）と、突部１６１８とを備えている。
【００７７】
収納部１６１０と抜け止め部１６１４とは、先の実施形態のものと同構成を採っている。
【００７８】
詳しくは、収納部１６１０は、マグネット収納部１６１２及びヨーク収納部１６１３を有する。
【００７９】
そして、保持部材本体１６１は、マグネット収納部１６１２内にネオジウムマグネット１０４が収納された状態で、ネオジウムマグネット１０４の先端面と保持部材本体１６１の周壁１６１１の先端面１６１１ａとが面一になるようにネオジウムマグネット１０４を保持する。また、保持部材本体１６１は、ヨーク収納部１６１３内にヨーク１０５を収納した状態で、ヨーク１０５の先端面１５２ａと保持部材本体１６１の周壁１６１１の先端面１６１１ａとが面一になるようにヨーク１０５を保持する。
【００８０】
抜け止め部６１４は、ヨーク収納部１６１３に収納されたヨーク１０５をヨーク収納部１６１３から抜け止めしている（図１０に示す状態）。
【００８１】
ボルト受容部１６１５は、保持部材本体１６１とカバー１６２とを固定するための固定用ボルト１０８を受容するもので、固定用ボルト１０８の頭部１８１を受容する頭部受容部１６１５ａと、固定用ボルト１０８の軸部１８２を挿通する軸挿通孔１６１５ｂとを備えている。
【００８２】
頭部受容部１６１５ａは、保持部材本体１６１（周壁１６１１）の先端面１６１１ａからの深さ寸法が固定用ボルト１０８の頭部１８１の高さ寸法よりも大きくなるように形成されている。これにより、頭部受容部１６１５ａに受容された固定用ボルト１０８の頭部１８１は、保持部材本体１６１の先端面１６１１ａよりも基端側に収まっている。
【００８３】
２つの被係止部１６１６は、保持部材本体１６１の外周部において互いに周方向の異なる位置に設けられている。
【００８４】
突部１６１８は、保持部材本体１６１の外周から径方向の外側に突設されている。突部１６１８は、後述のカバー１６２の掛け部材嵌挿溝１６２１ｂと略同幅に形成され、掛け部材嵌挿溝１６２１ｂに嵌入されている。
【００８５】
第１掛け部材支持部１６１７は、図１０に示すように、保持部材本体１６１の裏面側に設けられ、物品掛け部材１０２の吊り下げ支持溝１２２ａに入り込み得る厚さを有している。
【００８６】
次に、カバー１６２について説明する。この実施形態のカバー１６２は、円筒部１６２１と、防水用シート部材１０７と反対側から円筒部１６２１の開口を閉じるカバー底部１６２２とを備えている。
【００８７】
円筒部１６２１におけるカバー底部１６２２とは反対側の端部には、保持部材本体１６１を受容する本体受容部１６２１ａと、物品掛け部材１０２が回動自在に挿通する掛け部材嵌挿溝１６２１ｂと、被係止部１６１３それぞれを係止する係止部１６２１ｃとが設けられている。
【００８８】
本体受容部１６２１ａは、円筒部１６２１の内周側に、保持部材本体１６１を受容可能な大きさを有している。
【００８９】
掛け部材嵌挿溝１６２１ｂは、物品掛け部材１０２が回動自在に嵌挿し得る幅で、円筒部１６２１の先端面から所定の深さをもって形成されている。
【００９０】
係止部１６２１ｃは、それぞれ、被係止部１６１６に対応する位置に、円筒部１６２１の内周から径方向内側に突出するように形成されている。
【００９１】
カバー底部１６２２は、固定用ボルト１０８の軸部に設けられた雄ネジ部と螺合する雌ネジ部を有するボルト固定部１６２２ａと、物品掛け部材１０２を吊り下げ支持する第２掛け部材支持部１６２２ｂとを備えている。
【００９２】
第２掛け部材支持部１６２２ｂは、第１掛け部材支持部１６１７とほぼ同形状に形成されて第１掛け部材支持部１６１７と対向するように配置されている。第１掛け部材支持部１６１７及び第２掛け部材支持部１６２２ｂが物品掛け部材１０２の吊り下げ支持溝１２２ａに入り込んだ状態で、第１掛け部材支持部１６１７と第２掛け部材支持部１６２２ｂとの間で物品掛け部材１０２は回動自在に支持される。
【００９３】
このように構成されたカバー１６２と保持部材本体１６１とは、例えば次のようにして組み付けられている。
【００９４】
まず、カバー１６２の掛け部材嵌挿溝１６２１ｂに物品掛け部材１０２が入れられ、第２掛け部材支持部１６２２ｂが物品掛け部材１０２の吊り下げ支持溝１２２ａに基端側から入り込んだ状態にされる。
【００９５】
そして、その状態で、カバー１６２の本体受容部１６２１ａに保持部材本体１６１が受容される。
【００９６】
この受容に際して、保持部材本体１６１の突部１６１８がカバー１６２の掛け部材嵌挿溝１６２１ｂに嵌入される。この嵌入によって、保持部材本体１６１がカバー１６２に対して位置決めされるとともに、カバー１６２に対して回り止めされる。また、突部１６１８が掛け部材嵌挿溝１６２１ｂに嵌入されることで、物品掛け部材１０２が入った掛け部材嵌挿溝１６２１ｂが塞がれる。これにより、物品掛け部材１０２が掛け部材嵌挿溝１６２１ｂから外に出ることが防止される。
【００９７】
また、カバー１６２の本体受容部１６２１ａに保持部材本体１６１が受容された状態で、係止部１６２１ｃが被係止部１６１６に係止するとともに、第１掛け部材支持部１６１７が物品掛け部材１０２の吊り下げ支持溝１２２ａに先端側から入り込む。これにより、第１掛け部材支持部１６１７と第２掛け部材支持部１６２２ｂとの間で物品掛け部材１０２が回動自在に支持される。
【００９８】
そして、その状態で、固定用ボルト１０８がボルト受容部１６１５の軸挿通孔１６１５ｂに挿通されてカバー１６２のボルト固定部１６２２ａに固定される。これにより、カバー１６２と保持部材本体１６１とが組み付けられる。
【００９９】
このように構成された第２実施形態においても、ネオジウムマグネット１０４の先端面とヨーク１０５の先端面と保持部材本体１６１の周壁１６１１の先端面１６１１ａとが略面一になるように取付部１０３の収納部１６１０がネオジウムマグネット１０４とヨーク１０５とを保持する。また、防水用シート部材１０７がネオジウムマグネット１０４およびヨーク１０５の先端面を覆った状態で収納部１６１０の全周にわたり周壁１６１１の先端面１６１１ａに貼着されている。
【０１００】
これにより、磁力の強いネオジウムマグネット１０４を壁面Ｈに対して極めて近接した位置（壁面Ｈから防水用シート部材１０７の厚み寸法を隔てた位置）に配置してネオジウムマグネット１０４の磁力を有効に活用しながら、当該ネオジウムマグネット１０４に壁面Ｈに伝う水滴等が接触するのを防止することができる。具体的に、防水用シート部材１０７により収納部１６１０内に収納されたネオジウムマグネット１０４が壁面Ｈ側から覆われた状態で当該防水用シート部材１０７が収納部１６１０の全周にわたって周壁１６１１の先端面に貼着されているため、壁面Ｈを伝う水滴等が収納部１６１０の周囲から収納部１６１０内に導かれるのを抑制することができる。
【０１０１】
なお、第２実施形態では、物品掛け部材１０２を回転可能に支持するための構成として、第１掛け部材支持部１６１７及び第２掛け部材支持部１６２２ｂを説明したが、物品掛け部材１０２を回転可能に支持するための構成はこれらに限定されない。例えば、第１掛け部材支持部１６１７を省略するとともに第２掛け部材支持部１６２２ｂの形成範囲を大きく設定することにより、当該第２掛け部材支持部１６２２ｂのみによって物品掛け部材１０２を回転可能に支持することもできる。
【符号の説明】
【０１０２】
１、１００    壁面取付部材
２、１０２    物品掛け部材（取付対象部材）
３、１０３    取付部
４、１０４    ネオジウムマグネット
５、１０５    ヨーク
６、１０６    マグネット保持部材
７、１０７    防水用シート部材
６１０、１６１０    収納部
Ｈ    壁面
【図１】
2018114008.tif 000003
【図２】
2018114008.tif 000004
【図３】
2018114008.tif 000005
【図４】
2018114008.tif 000006
【図５】
2018114008.tif 000007
【図６】
2018114008.tif 000008
【図７】
2018114008.tif 000009
【図８】
2018114008.tif 000010
【図９】
2018114008.tif 000011
【図１０】
2018114008.tif 000012